(57)【要約】【課題】基本ユニットに増設ユニットを連結する際に、ユーザが増設ユニットの総数及び各増設ユニットが何番目に連結されているかを設定する必要がない投票用紙分類装置を提供する。【解決手段】投票用紙分類装置１は、基本ユニット１０と、基本ユニット１０に順次直列に連結される増設ユニット２０，３０，４０とから構成される。各増設ユニット２０〜４０のリードリレー２４〜４４は、自身の増設ユニットの後段に他の増設ユニットが連結されているときは、抵抗Ｒ２〜Ｒ４の他端とグランドＧＮＤとの接続を遮断する。基本ユニット１０は、基準電圧ＶＲと抵抗Ｒ１の両端の電位とに基づいて、自身に順次直列に連結されている増設ユニットの総数Ｎを求め、各増設ユニット２０〜４０は、基準電圧ＶＲと自身の抵抗Ｒ２〜Ｒ４の両端の電位とに基づいて、基本ユニット１０を基準にして自身が何番目に連結されているか（連結順番ｎ）を求める。【選択図】図３
2012008955.tif 000002
【特許請求の範囲】
【請求項１】
基本ユニットと、基本ユニットに順次直列に連結される１つ又は複数の増設ユニットとから構成される投票用紙分類装置であって、
前記基本ユニットは、第１接続手段と、一端に基準電圧が印加されると共に他端が該第１接続手段に接続される第１抵抗手段とを備え、
前記増設ユニットは、第２，第３接続手段と、一端が該第２接続手段に接続されると共に他端が該第３接続手段に接続される第２抵抗手段と、該第２抵抗手段の他端とグランドとの間に接続されるスイッチ手段とを備え、
前記基本ユニットと前記増設ユニットとが連結される際には、該基本ユニットの前記第１接続手段と該増設ユニットの前記第２接続手段とが電気的に接続され、
前記増設ユニット同士が連結される際には、前段の該増設ユニットの前記第３接続手段と後段の該増設ユニットの前記第２接続手段とが電気的に接続され、
前記増設ユニットの前記スイッチ手段は、自身の前記増設ユニットの後段に他の前記増設ユニットが連結されていないときは、自身が接続されている前記第２抵抗手段の他端とグランドとを接続し、自身の前記増設ユニットの後段に他の前記増設ユニットが連結されているときは、自身が接続されている前記第２抵抗手段の他端とグランドとの接続を遮断し、
前記基本ユニットは、少なくとも前記基準電圧及び前記第１抵抗手段の両端の電位に基づいて、自身に順次直列に連結されている前記増設ユニットの総数を求め、
前記増設ユニットは、少なくとも前記基準電圧及び自身の前記第２抵抗手段の両端の電位に基づいて、前記基本ユニットを基準にして自身が何番目に連結されているかを求める、投票用紙分類装置。
【請求項２】
前記第１抵抗手段と前記第２抵抗手段とは同一の抵抗値を有し、
前記基本ユニットは、前記基準電圧及び前記第１抵抗手段の両端の電位に基づいて、自身に順次直列に連結されている前記増設ユニットの総数を求め、
前記増設ユニットは、前記基準電圧及び自身の前記第２抵抗手段の両端の電位に基づいて、前記基本ユニットを基準にして自身が何番目に連結されているかを求める、請求項１に記載の投票用紙分類装置。
【請求項３】
前記第１抵抗手段と前記第２抵抗手段とは異なる抵抗値を有し、
前記基本ユニットは、前記基準電圧、前記第１抵抗手段の両端の電位、及び前記第１，第２抵抗手段の抵抗値に基づいて、自身に順次直列に連結されている前記増設ユニットの総数を求め、
前記増設ユニットは、前記基準電圧、自身の前記第２抵抗手段の両端の電位、及び前記第１，第２抵抗手段の抵抗値に基づいて、前記基本ユニットを基準にして自身が何番目に連結されているかを求める、請求項１に記載の投票用紙分類装置。
【請求項４】
前記増設ユニットは、第４，第５接続手段をさらに備え、
該第４接続手段はグランドに接続され、
前記増設ユニット同士が連結される際には、前段の該増設ユニットの前記第５接続手段と後段の該増設ユニットの前記第４接続手段とが電気的に接続され、
前記スイッチ手段は、一端に駆動電圧が印加されると共に他端が前記第５接続手段に接続されるコイルと、前記第２抵抗手段の他端とグランドとの間に接続される接点とを有するリレーであり、
該リレーの前記接点は、前記コイルに電流が流れないときは閉状態になり、前記コイルに電流が流れるときは開状態になる、請求項１〜３のいずれか一項に記載の投票用紙分類装置。
【発明の詳細な説明】
【技術分野】
【０００１】
この発明は、投票用紙分類装置に係り、特に基本ユニットに１つ又は複数の増設ユニットを順次直列に連結可能な投票用紙分類装置に関する。
【背景技術】
【０００２】
選挙の投票用紙に記載されている候補者名をスキャナ等で読み取って投票用紙を分類する投票用紙分類装置が知られている。通常、このような装置は、投票用紙を候補者名ごとに分類して収納するための複数のスタッカを備えている。また、特許文献１には、候補者が多い場合等に対応するために、基本ユニット（投票用紙集計装置）２に複数の増設ユニット３を順次直列に連結することによって、利用可能なスタッカの数を増やすことができるシステムが記載されている。
【０００３】
従来、特許文献１に記載されているような装置においては、ユーザは、基本ユニット２に対して増設ユニット３の総数を設定すると共に、各増設ユニット３に対してそれぞれが基本ユニット２を基準にして何番目に連結されているか（連結順番）を設定する。例えば、特許文献１の図１に示されている例では、基本ユニット２に対して増設ユニット３の総数Ｎ＝２を設定し、紙面中央の増設ユニット３に対して連結順番ｎ＝１、紙面左側の増設ユニット３に対して連結順番ｎ＝２を設定する。基本ユニット２は、増設ユニット３の総数Ｎ＝２に基づいて利用可能なスタッカの総数を４＋８×２＝２０個と算出すると共に、自身のスタッカ１４のＩＤ番を１〜４に設定する。また、紙面中央の増設ユニット３は、連結順番ｎ＝１に基づいて自身のスタッカ１４ＡのＩＤ番号を５〜１２に設定し、紙面左側の増設ユニット３は、連結順番ｎ＝２に基づいて自身のスタッカ１４ＡのＩＤ番号を１３〜２０に設定する。
【０００４】
投票用紙の分類を行う際には、基本ユニット２は、投票用紙に記載されている候補者名をスキャナによって読み取り、当該投票用紙が収納されるべきスタッカのＩＤ番号（１〜２０）を算出する。当該ＩＤ番号に対応するスタッカを有する増設ユニット３は、図示されない搬送機構に載って送り出されてくる投票用紙を自身の対応するスタッカ１４Ａに収納する。
【先行技術文献】
【特許文献】
【０００５】
【特許文献１】特開２０１０−１２２７４４号公報
【発明の概要】
【発明が解決しようとする課題】
【０００６】
上記のような投票用紙分類装置においては、基本ユニットに増設ユニットを連結する際に、ユーザは、基本ユニットに対して増設ユニットの総数を設定すると共に、各増設ユニットに対してそれぞれが基本ユニットを基準にして何番目に連結されているかを設定する必要があり、これが大きな負担になっていた。
【０００７】
この発明はこのような問題を解決するためになされたものであり、基本ユニットに増設ユニットを連結する際に、ユーザが増設ユニットの総数及び各増設ユニットが何番目に連結されているかを設定する必要がない、投票用紙分類装置を提供することを目的とする。
【課題を解決するための手段】
【０００８】
上記の課題を解決するために、この発明に係る投票用紙分類装置は、基本ユニットと、基本ユニットに順次直列に連結される１つ又は複数の増設ユニットとから構成される投票用紙分類装置であって、基本ユニットは、第１接続手段と、一端に基準電圧が印加されると共に他端が第１接続手段に接続される第１抵抗手段とを備え、増設ユニットは、第２，第３接続手段と、一端が第２接続手段に接続されると共に他端が該第３接続手段に接続される第２抵抗手段と、第２抵抗手段の他端とグランドとの間に接続されるスイッチ手段とを備え、基本ユニットと増設ユニットとが連結される際には、基本ユニットの第１接続手段と増設ユニットの第２接続手段とが電気的に接続され、増設ユニット同士が連結される際には、前段の増設ユニットの第３接続手段と後段の増設ユニットの第２接続手段とが電気的に接続され、増設ユニットのスイッチ手段は、自身の増設ユニットの後段に他の増設ユニットが連結されていないときは、自身が接続されている第２抵抗手段の他端とグランドとを接続し、自身の増設ユニットの後段に他の増設ユニットが連結されているときは、自身が接続されている第２抵抗手段の他端とグランドとの接続を遮断し、基本ユニットは、少なくとも基準電圧及び第１抵抗手段の両端の電位に基づいて、自身に順次直列に連結されている増設ユニットの総数を求め、増設ユニットは、少なくとも基準電圧及び自身の第２抵抗手段の両端の電位に基づいて、基本ユニットを基準にして自身が何番目に連結されているかを求める。
これにより、基本ユニットに増設ユニットを連結する際に、ユーザは増設ユニットの総数及び各増設ユニットが何番目に連結されているかを設定する必要がない。
【０００９】
第１抵抗手段と第２抵抗手段とは同一の抵抗値を有し、基本ユニットは、基準電圧及び第１抵抗手段の両端の電位に基づいて、自身に順次直列に連結されている増設ユニットの総数を求め、増設ユニットは、基準電圧及び自身の第２抵抗手段の両端の電位に基づいて、基本ユニットを基準にして自身が何番目に連結されているかを求めてもよい。
【００１０】
第１抵抗手段と第２抵抗手段とは異なる抵抗値を有し、基本ユニットは、基準電圧、第１抵抗手段の両端の電位、及び第１，第２抵抗手段の抵抗値に基づいて、自身に順次直列に連結されている増設ユニットの総数を求め、増設ユニットは、基準電圧、自身の第２抵抗手段の両端の電位、及び前記第１，第２抵抗手段の抵抗値に基づいて、基本ユニットを基準にして自身が何番目に連結されているかを求めてもよい。
【００１１】
好適には、増設ユニットは、第４，第５接続手段をさらに備え、第４接続手段はグランドに接続され、増設ユニット同士が連結される際には、前段の増設ユニットの第５接続手段と後段の増設ユニットの第４接続手段とが電気的に接続され、スイッチ手段は、一端に駆動電圧が印加されると共に他端が第５接続手段に接続されるコイルと、第２抵抗手段の他端とグランドとの間に接続される接点とを有するリレーであり、リレーの接点は、コイルに電流が流れないときは閉状態になり、コイルに電流が流れるときは開状態になる。
【発明の効果】
【００１２】
この発明に係る投票用紙分類装置によれば、基本ユニットに増設ユニットを連結する際に、ユーザは増設ユニットの総数及び各増設ユニットが何番目に連結されているかを設定する必要がない。
【図面の簡単な説明】
【００１３】
【図１】この発明の実施の形態に係る投票用紙分類装置の構成を示す図である。
【図２】この発明の実施の形態に係る投票用紙分類装置における、基本ユニット及び増設ユニットの内部構成を示す図である。
【図３】この発明の実施の形態に係る投票用紙分類装置において、基本ユニットに複数の増設ユニットを順次直列に連結したときの内部状態を示す図である。
【発明を実施するための形態】
【００１４】
以下、この発明の実施の形態について添付図面に基づいて説明する。
この発明の実施の形態に係る投票用紙分類装置１の構成を図１に示す。
投票用紙分類装置１は、基本ユニット１０と、基本ユニット１０に順次直列に連結される３つの増設ユニット２０，３０，４０とを備えている。基本ユニット１０は、図示しない投票用紙に記載されている候補者名を読み取るスキャナ１１と、投票用紙を候補者名ごとに分類して収納する５つのスタッカ１２と、分類結果を表示するディスプレイ１３とを備えている。増設ユニット２０〜４０は同一の構造を有しており、それぞれ８つのスタッカ２１，３１，４１を備えている。
【００１５】
基本ユニット１０及び増設ユニット２０の内部構成を図２に示す。尚、増設ユニット２０〜４０は同一の構造を有しているため、増設ユニット２０を例にして説明する。
図２（ａ）に示されるように、基本ユニット１０の右側面にはコネクタ１４が設けられており、コネクタ１４は端子１４ａを有している。また、基本ユニット１０は、１ｋΩの抵抗Ｒ１と、マイクロコンピュータによって構成される制御部１５とを備えている。抵抗Ｒ１の一端は直流の基準電圧ＶＲ＝＋３．３Ｖを出力する電圧源１６に接続され、他端は端子１４ａに接続されている。制御部１５には、抵抗Ｒ１の両端の電位Ｖ１’，Ｖ１”が入力される。
【００１６】
一方、図２（ｂ）に示されるように、増設ユニット２０の左側面にはコネクタ２２が設けられており、右側面にはコネクタ２３が設けられている。コネクタ２２は端子２２ａ，２２ｂを有しており、コネクタ２３は端子２３ａ，２３ｂを有している。尚、端子２２ｂはグランドＧＮＤに接続されている。また、増設ユニット２０は、抵抗Ｒ１と等しい抵抗値（１ｋΩ）を有する抵抗Ｒ２と、リードリレー２４と、マイクロコンピュータによって構成される制御部２５とを備えている。抵抗Ｒ２の一端は端子２２ａに接続され、他端は端子２３ａに接続されている。リードリレー２４の接点２４ａは、抵抗Ｒ２の他端とグランドＧＮＤとの間に接続されている。この接点２４ａは所謂ノーマルクローズ接点であり、コイル２４ｂに電流が流れないときは閉状態であり、電流が流れると開状態になる。コイル２４ｂの一端には駆動電圧ＶＤが印加され、他端は端子２３ｂに接続されている。制御部２５には、抵抗Ｒ２の両端の電位Ｖ２’，Ｖ２”が入力される。
【００１７】
次に、基本ユニット１０に増設ユニット２０〜４０を順次直列に連結したときの内部状態を図３に示す。尚、これ以降、２つの増設ユニット間の位置関係を説明する際には、基本ユニット１０に近い側を「前段」、基本ユニット１０に遠い側を「後段」と定義する。
【００１８】
基本ユニット１０に増設ユニット２０を連結すると、基本ユニット１０の端子１４ａに増設ユニット２０の端子２２ａが電気的に接続され、その結果、抵抗Ｒ１と抵抗Ｒ２とが直列に接続される。
増設ユニット２０の後段に増設ユニット３０を連結すると、増設ユニット２０の端子２３ａ，２３ｂに増設ユニット３０の端子３２ａ，３２ｂがそれぞれ電気的に接続され、その結果、抵抗Ｒ２と抵抗Ｒ３とが直列に接続されると共に、リードリレー２４のコイル２４ｂの他端がグランドＧＮＤに接続される。このとき、コイル２４ｂに電流が流れて接点２４ａが開状態になり、抵抗Ｒ２の他端とグランドＧＮＤとの接続が遮断される。
同様に、増設ユニット３０の後段に増設ユニット４０を連結すると、増設ユニット３０の端子３３ａ，３３ｂに増設ユニット４０の端子４２ａ，４２ｂがそれぞれ電気的に接続され、その結果、抵抗Ｒ３と抵抗Ｒ４とが直列に接続されると共に、リードリレー３４の接点３４ａが開状態になり、抵抗Ｒ３の他端とグランドＧＮＤとの接続が遮断される。
また、増設ユニット４０の後段には何も連結されていないため、リードリレー４４のコイル４４ｂの他端は開放状態である。コイル４４ｂに電流が流れないため接点４４ａは閉状態であり、抵抗Ｒ４の他端はグランドＧＮＤに接続される。
【００１９】
上記のような接続状態においては、電圧源１６→抵抗Ｒ１→抵抗Ｒ２→抵抗Ｒ３→抵抗Ｒ４→グランドＧＮＤという閉回路が形成されて電流が流れる。そして、抵抗Ｒ１〜Ｒ４の抵抗値は全て等しく１ｋΩであるため、抵抗Ｒ１〜Ｒ４には０．８２５Ｖの等しい電圧降下が生じる。
【００２０】
このとき、基本ユニット１０の制御部１５は、基本ユニット１０に順次直列に連結されている増設ユニットの総数Ｎを
【００２１】
【数１】
2012008955.tif 000003
【００２２】
によって求めることができる。この実施の形態の例では、ＶＲ＝３．３Ｖ，Ｖ１’＝３．３Ｖ，Ｖ１”＝２．４７５Ｖであるため、Ｎ＝３．３／（３．３−２．４７５）−１＝３となる。制御部１５は、基本ユニットのスタッカ数＝５と、増設ユニットのスタッカ数＝８を予め記憶しており、それらと増設ユニットの総数Ｎ＝３に基づいて、利用可能なスタッカの総数を５＋８×３＝２９個と算出することができる。
【００２３】
また、各増設ユニット２０〜４０の制御部２５〜４５は、基本ユニット１０を基準にして自身の増設ユニットが何番目に連結されているか（連結順番ｎ）を
【００２４】
【数２】
2012008955.tif 000004
【００２５】
によって求めることができる。ここで、Ｖｉ’，Ｖｉ”は抵抗Ｒｉの両端の電位であり、ｉ＝２〜４である。この実施の形態の例では、Ｖ２’＝２．４７５Ｖ，Ｖ２”＝１．６５Ｖ、Ｖ３’＝１．６５Ｖ，Ｖ３”＝０．８２５Ｖ、Ｖ４’＝０．８２５Ｖ，Ｖ４”＝０Ｖであるため、増設ユニット２０の連結順番ｎ２＝（３．３−２．４７５）／（２．４７５−１．６５）＝１、増設ユニット３０の連結順番ｎ３＝（３．３−１．６５）／（１．６５−０．８２５）＝２、増設ユニット４０の連結順番ｎ４＝（３．３−０．８２５）／（０．８２５−０）＝３となる。制御部２５，３５，４５は、基本ユニットのスタッカ数＝５と、増設ユニットのスタッカ数＝８を予め記憶しており、それらと各連結順番ｎ２＝１，ｎ３＝２，ｎ４＝３に基づいて、自身の増設ユニットのスタッカのＩＤ番号をそれぞれ６〜１３，１４〜２１，２２〜２９に設定することができる。
【００２６】
以上説明したように、この実施の形態に係る投票用紙分類装置１では、各増設ユニット２０〜４０のリードリレー２４〜４４は、自身の増設ユニットの後段に他の増設ユニットが連結されていないときは、自身が接続されている抵抗Ｒ２〜Ｒ４の他端とグランドＧＮＤとを接続し、自身の増設ユニットの後段に他の増設ユニットが連結されているときは、自身が接続されている抵抗Ｒ２〜Ｒ４の他端とグランドＧＮＤとの接続を遮断するスイッチとして機能する。そのため、基本ユニット１０は、基準電圧ＶＲと抵抗Ｒ１の両端の電位とに基づいて、自身に順次直列に連結されている増設ユニットの総数Ｎを求めることができる。また、各増設ユニット２０〜４０は、基準電圧ＶＲと自身の抵抗Ｒ２〜Ｒ４の両端の電位とに基づいて、基本ユニット１０を基準にして自身が何番目に連結されているか（連結順番ｎ）を求めることができる。これにより、基本ユニットに増設ユニットを連結する際に、ユーザは増設ユニットの総数及び各増設ユニットが何番目に連結されているかを設定する必要がない。
【００２７】
尚、実施の形態において、増設ユニットが３つの場合を例に説明したが、増設ユニットの数は３つに限定されるものではなく、１つ又は２つでもよいし、３つより多くてもよい。
【００２８】
また、実施の形態において、抵抗Ｒ１〜Ｒ４の抵抗値を１ｋΩに設定したが、抵抗値はこれに限定されるものではなく、抵抗Ｒ１〜Ｒ４の抵抗値が全て等しければよい。ただし、抵抗Ｒ１の抵抗値と抵抗Ｒ２〜Ｒ４の抵抗値とが異なっている場合でも、基本ユニット１０の制御部１５及び各増設ユニット２０〜４０の制御部２５〜４５にそれらの値を予め記憶させておけば、増設ユニットの総数Ｎ及び各連結順番ｎを次式によって求めることができる。
【００２９】
【数３】
2012008955.tif 000005
【数４】
2012008955.tif 000006
【００３０】
ここで、Ｒは抵抗Ｒ１の抵抗値であり、ｒは抵抗Ｒ２〜Ｒ４の抵抗値である。
例えば、実施の形態の例において、Ｒ＝２ｋΩ、ｒ＝１ｋΩとした場合には、ＶＲ＝３．３Ｖ，Ｖ１’＝３．３Ｖ，Ｖ１”＝１．９８Ｖであるため、Ｎ＝｛３．３／（３．３−１．９８）−１｝×（２０００／１０００）＝３となる。また、Ｖ２’＝１．９８Ｖ，Ｖ２”＝１．３２Ｖ、Ｖ３’＝１．３２Ｖ，Ｖ３”＝０．６６Ｖ、Ｖ４’＝０．６６Ｖ，Ｖ４”＝０Ｖであるため、増設ユニット２０の連結順番ｎ２＝（３．３−１．９８）／（１．９８−１．３２）−（２０００／１０００）＋１＝１、増設ユニット３０の連結順番ｎ３＝（３．３−１．３２）／（１．３２−０．６６）−（２０００／１０００）＋１＝２、増設ユニット４０の連結順番ｎ４＝（３．３−０．６６）／（０．６６−０）−（２０００／１０００）＋１＝３となる。
【００３１】
また、基準電圧ＶＲは＋３．３Ｖに限定されるものではなく、適宜調整することができる。
さらに、リードリレー２４〜４４に代えて他の種類の素子を用いてもよいし、後段に増設ユニットが連結された際に作動する接触検知スイッチ等を用いることによって抵抗Ｒ２〜Ｒ４の他端とグランドＧＮＤとの接続状態を制御してもよい。
【符号の説明】
【００３２】
１  投票用紙分類装置、１０  基本ユニット、１４ａ  端子（第１接続手段）、２０，３０，４０  増設ユニット、２２ａ，３２ａ，４２ａ  端子（第２接続手段）、２３ａ，３３ａ，４３ａ  端子（第３接続手段）、２２ｂ，３２ｂ，４２ｂ  端子（第４接続手段）、２３ｂ，３３ｂ，４３ｂ  端子（第５接続手段）、２４，３４，４４  リードリレー（スイッチ手段）、２４ａ，３４ａ，４４ａ  接点、２４ｂ，３４ｂ，４４ｂ  コイル、Ｒ１  抵抗（第１抵抗手段）、Ｒ２，Ｒ３，Ｒ４  抵抗（第２抵抗手段）、ＶＤ  駆動電圧、ＶＲ  基準電圧。
【図１】
2012008955.tif 000007
【図２】
2012008955.tif 000008
【図３】
2012008955.tif 000009